(57)【要約】【課題】軟性材を内部に収容し、該軟性材の位置ずれの発生しない軟性材収容体を提供する。【解決手段】軟性材収容体は本体部１と軟性材２とから成り、本体部１の内側面には、ポケット部３が取り付けている。軟性材２は、立体的に成形したものであり、ポケット部３内に第１の係合部６と係合する第２の係合部７が取り付けられている。軟性材２をポケット部３内に収容し、第１の係合部６及び第２の係合部７が係合するように位置合わせを行うことで、軟性材２はポケット部３内で固定される。このように固定することで、本体部１にイラスト等を付した場合には、イラストで表現した凹凸形状と、本体部１の凹凸形状とが一致し、長期間使用したとしても位置ずれが発生することはない。【選択図】図１
0003214496.tif 000002
【実用新案登録請求の範囲】
【請求項１】
内側面にポケット部を備える本体部と、前記ポケット部内に収納し、凹凸形状を有する軟性材とから成る軟性材収容体であって、
前記ポケット部の内面には、互いに係合する第１、第２の係合部のうちの前記第１の係合部が配置されており、
軟性材には、前記第２の係合部が取り付けられていることを特徴とする軟性材収容体。
【請求項２】
前記本体部は、芯材を収納可能であることを特徴とする請求項１に記載の軟性材収容体。
【請求項３】
前記芯材は枕材であることを特徴とする請求項２に記載の軟性材収容体。
【請求項４】
前記第１、第２の係合部は、面ファスナであることを特徴とする請求項１〜３の何れか１項に記載の軟性材収容体。
【考案の詳細な説明】
【技術分野】
【０００１】
本考案は、内部に軟性材を収納可能とした軟性材収容体に関するものである。
【背景技術】
【０００２】
就寝時において、抱くようにして使用する抱き枕が知られており、この抱き枕を使用することで、就寝者はリラックス効果を得ることができる。
【０００３】
特許文献１に開示された、円柱形、多角柱形、楕円形、幾何学形、動物形、植物形、ぬいぐるみ形等の形状をした枕本体から成る抱き枕や、この枕本体を枕カバー内に収納して使用する抱き枕が知られている。
【先行技術文献】
【特許文献】
【０００４】
【特許文献１】特開２０１６−３０１５６号公報
【考案の概要】
【考案が解決しようとする課題】
【０００５】
しかし、枕本体を枕カバー内に収納して使用する抱き枕において、様々な形状の枕本体を収納した場合に、布製の枕カバーと枕本体との間に隙間ができてしまうことがある。この場合には、抱き心地が十分でないという問題がある。
【０００６】
また、枕カバーにイラスト等を付した場合に、イラストで表現した凹凸形状と、枕本体の凹凸形状とが一致しないという問題が生ずる。
【０００７】
特に、人や動物のイラストを採用した場合には、上述の隙間の発生により枕本体部を挿入した枕カバーでは、細部まで立体的な形状を表現することが難しいという問題がある。
【０００８】
また、枕カバーのイラストと合うように立体的に表現できたとしても、時間経過と共に位置ずれが発生してしまうという問題もある。
【０００９】
本発明の目的は、上述の課題を解消し、軟性材を内部に収容し、使用者が意図する細部までの立体的な形状の表現が可能であり、軟性材の位置ずれの発生しない軟性材収容体を提供することにある。
【課題を解決するための手段】
【００１０】
本考案における軟性材収容体は、内側面にポケット部を備える本体部と、前記ポケット部内に収納し、凹凸形状を有する軟性材とから成る軟性材収容体であって、前記ポケット部の内面には、互いに係合する第１、第２の係合部のうちの前記第１の係合部が配置されており、軟性材には、前記第２の係合部が取り付けられていることを特徴とする。
【考案の効果】
【００１１】
本考案に係る軟性材収容体によれば、軟性材を本体部内部のポケット部に固定することで、使用者が意図する細部までの立体的な形状の表現が可能である。また、長時間利用したとしても軟性材の位置ずれが発生することがなく、立体的な形状を保持することができる。
【図面の簡単な説明】
【００１２】
【図１】軟性材収容体の本体部と軟性材を分離した状態の斜視図である。
【図２】軟性材をポケット部に格納した軟性材収容体に、枕材を挿入する説明図である。
【図３】枕材を挿入した状態の軟性材収容体の説明図である。
【考案を実施するための形態】
【００１３】
図１は軟性材収容体の本体部１と軟性材２を分離した状態の説明図であり、軟性材収容体は、ポケット部３を備える本体部１と、このポケット部３内に収納する収納物である軟性材２とから構成されている。
【００１４】
本体部１は布製であり、開口部４を有する袋状とされている。また、本体部１の表面には、人や動物のイラスト等が印刷されている。
【００１５】
本体部１の内側面には、ポケット部３が取り付けており、このポケット部３は挿入口部５を有している。更に、ポケット部３の内面には、一対の面ファスナの一方の面ファスナである第１の係合部６が配置されている。
【００１６】
本体部１の大きさは、例えば幅４０ｃｍ、長さ１００ｃｍ程度であり、適宜のサイズのものを採用することができる。また、本体部１の素材は、布製であって形状が袋体としているが、これらの素材、形状に限定されるものではなく、ポケット部３を有する構造であれば、例えばナイロンのシート材等の適宜の素材、形状のものを採用することが可能である。
【００１７】
軟性材２は、例えばシリコン樹脂、ポリウレタン樹脂、ウレタンフォーム、スポンジ、綿塊等から成り、例えば人や動物の一部分を模して凹凸形状を備え、立体的に成形したものである。この凹凸形状の表面に対する平面状の裏面側に、他方の面ファスナである第２の係合部７が取り付けられている。
【００１８】
また、軟性材２を直接に本体部１に収納するのではなく、軟性材２を別体である袋体等に収納し、この袋体の外側に第２の係合部７を設けるようにしてもよい。
【００１９】
また、第２の係合部７は凹凸形状を有する表面側に設けてもよく、軟性材２の第２の係合部７の位置に対応するように、ポケット部３内に第１の係合部６が配置されることになる。
【００２０】
なお、互いに係合する第１の係合部６及び第２の係合部７は、面ファスナを例示しているが、マグネット式等の係合部材を適宜に採用することができる。更に、第１の係合部６及び第２の係合部７は、図示するように２組設けているが、連続した長い形状の１組の面ファスナであってもよいし、３組以上を配置してもよい。
【００２１】
軟性材２を本体部１に収容する場合は、図１の矢印方向に軟性材２を移動させて、開口部４を介して、本体部１内に軟性材２を挿入させる。そして、図２に示すように挿入した軟性材２を、挿入口部５を介してポケット部３に格納する。
【００２２】
この際に、第１の係合部６及び第２の係合部７が係合するように位置合わせを行うことで、軟性材２はポケット部３内でずれることなく固定される。この固定により、本体部１の表面のイラストで表現された立体形状と、軟性材２の凹凸形状との位置がずれずに配置されると共に、長期間使用したとしても位置ずれが発生することはない。
【００２３】
このように、軟性材２を本体部１に収容させた後に、例えば枕材である芯材Ｋを本体部１に押し込むように収容することで、図３に示す軟性材収容体による抱き枕が完成する。なお、芯材Ｋは開口部４を介して本体部１に挿入され、ポケット部３の内側を摺動させて本体部１内に収容させている。
【００２４】
なお、芯材Ｋは、例えばウレタンフォーム等の内在する長方形状の通常の枕材であってもいいし、人や動物を模した形状をした軟性の樹脂材等であってもよい。
【００２５】
また、本実施例では抱き枕を一例として説明しているが、例えば洋裁等で使用する人形体や立体的なマウスパッド等の様々なものに適用することが可能である。
【００２６】
このように軟性材収容体を用いて芯材Ｋと別体である軟性材２を、芯材Ｋと共に本体部１内に収容することで、細部まで立体的な形状を表現することができる。
【００２７】
特に、本体部１にイラスト等を付した場合には、イラストで表現した凹凸形状と、本体部１の凹凸形状とが一致することになり、使用者が意図する細部までの立体的な形状の表現が可能である。
【００２８】
また、軟性材２をポケット部３内に第１の係合部６及び第２の係合部７を用いて固定するので、長時間利用したとしても軟性材２の位置ずれが発生することもなく、立体的な形状を保持することができる。
【符号の説明】
【００２９】
１  本体部
２  軟性材
３  ポケット部
４  開口部
５  挿入口部
６  第１の係合部
７  第２の係合部
【図１】
0003214496.tif 000003
【図２】
0003214496.tif 000004
【図３】
0003214496.tif 000005